(57)【要約】【課題】  片持ち支持構造の主軸を使用したものであっても、筺体の強度を高めることは勿論、小型軽量化を図ったこと。【解決手段】  本発明のエレベーター用巻上機は、上記課題を解決するために、ディスク５を制動するブレーキ部材１６Ａ、１６Ｂをそれぞれ有する一対のディスクブレーキ装置６Ａ、６Ｂを配置し、ディスクブレーキ装置６Ａ、６Ｂをそれぞれ支持部材７Ａ、７Ｂによって筺体１に支持し、両支持部材１７Ａ、１７Ｂ間を結合しながら片持ち支持構造の主軸３の変位方向における筺体１を補強する扇状の上部補強リブ１０と、片持ち支持構造の主軸１の変位方向で、かつ、上部補強リブ１０に対向した位置の筺体１を補強する逆扇状の下部補強リブ１１とを備え、上部補強リブ１０と下部補強リブ１１との対向部に、補強リブのない領域１２Ａ、１２Ｂを形成したことを特徴とする。【選択図】図１
2018002419.tif 000002
【特許請求の範囲】
【請求項１】
モータを構成する固定子が収納されている筐体と、該筐体に軸方向の一方端部が固定され、他方端部が自由端となる片持ち支持構造の主軸と、該主軸の自由端側に軸受を介して回転可能に取付けられ、乗りかごと釣合おもりを連結する主索が巻き掛けられる綱車と、該綱車と一体的に回転するディスクと、前記綱車と一体に形成されて前記固定子と協働して前記モータを構成する回転子と、前記ディスクを制動するブレーキ部材をそれぞれ有する一対のディスクブレーキ装置とを備え、前記綱車に巻き掛けた前記主索を上方又は下方へ導くエレベーター用巻上機において、
前記一対のディスクブレーキ装置は、該一対のディスクブレーキ装置がそれぞれ支持部材によって前記筺体に支持されると共に、前記両支持部材間を結合しながら片持ち支持構造の前記主軸の変位方向における前記筺体を補強する扇状の上部補強リブと、片持ち支持構造の前記主軸の変位方向で、かつ、前記上部補強リブに対向した位置の前記筺体を補強する逆扇状の下部補強リブとを備え、前記上部補強リブと前記下部補強リブとの対向部には、補強リブのない領域が形成されていることを特徴とするエレベーター用巻上機。
【請求項２】
請求項１に記載のエレベーター用巻上機において、
前記一対のディスクブレーキ装置は、前記網車又は前記主軸の中心軸よりも上方部となる領域に左右一対となるように配置され、前記筐体の背面側に結合された前記支持部材により支持されていることを特徴とするエレベーター用巻上機。
【請求項３】
請求項２に記載のエレベーター用巻上機において、
前記一対のディスクブレーキ装置は、前記網車又は前記主軸の中心軸に対して斜め上方部に配置されていることを特徴とするエレベーター用巻上機。
【請求項４】
請求項２又は３に記載のエレベーター用巻上機において、
前記筺体は、その背面側で前記主軸を支持するボス部の外周に空部が形成されていることを特徴とするエレベーター用巻上機。
【請求項５】
請求項４に記載のエレベーター用巻上機において、
それぞれの前記支持部材の下方部で、かつ、前記空部の外周部に位置する部分の前記筺体には、前記上部補強リブが、それぞれの前記支持部材の下方部間を結合するように配置され、前記空部を挟んで前記上部補強リブと対向する部分の前記筺体には、前記下部補強リブが配置されていることを特徴とするエレベーター用巻上機。
【発明の詳細な説明】
【技術分野】
【０００１】
本発明はエレベーター用巻上機に係り、特に、片持ち支持構造の主軸を使用したものに好適なエレベーター用巻上機に関する。
【背景技術】
【０００２】
片持ち支持構造の主軸を使用したエレベーター用巻上機としては、特許文献１に記載されたものがある。
【０００３】
この特許文献１には、固定子と固定子巻線を収納した筐体本体と、前記筐体本体に一方を固定し、他方を自由端とした片持ち支持構造の固定主軸と、前記固定主軸の自由端側に軸受を介して回転可能に取り付けられ、主索が巻き掛けられる綱車と、前記綱車と一体に形成されて前記固定子と協働して電動機部を形成する回転子と、前記綱車と一体的に回転するディスクを備えたエレベーター用巻上機において、前記綱車に巻き掛けられる前記主索の外側で、かつ、前記綱車にかかる懸垂荷重の方向に伸びた前記綱車の中心線と直交する中心線より上側であって、最大積載荷重がかかった状態で傾いた前記ディスクの回転面の位置と、無荷重或いは軽荷重の状態での前記ディスク回転面の位置とが実質的に変わらない領域に前記ディスクブレーキ装置を配置したエレベーター用巻上機が記載されている。
【先行技術文献】
【特許文献】
【０００４】
【特許文献１】特開２０１３−４００３３号公報
【発明の概要】
【発明が解決しようとする課題】
【０００５】
しかしながら、特許文献１に記載されたエレベーター用巻上機は、片持ち支持構造の主軸を使用した場合、この主軸に加わる偏荷重に対して筺体の肉厚を増して強度を上げる構成であるため、筺体の肉厚を増して強度を上げる分、エレベーター用巻上機としては大型で重量化してしまう。
【０００６】
本発明は上述の点に鑑みなされたもので、その目的とするところは、片持ち支持構造の主軸を使用したものであっても、筺体の強度を高めることは勿論、小型軽量化を図ったエレベーター用巻上機を提供することにある。
【課題を解決するための手段】
【０００７】
本発明はエレベーター用巻上機は、上記目的を達成するために、モータを構成する固定子が収納されている筐体と、該筐体に軸方向の一方端部が固定され、他方端部が自由端となる片持ち支持構造の主軸と、該主軸の自由端側に軸受を介して回転可能に取付けられ、乗りかごと釣合おもりを連結する主索が巻き掛けられる綱車と、該綱車と一体的に回転するディスクと、前記綱車と一体に形成されて前記固定子と協働して前記モータを構成する回転子と、前記ディスクを制動するブレーキ部材をそれぞれ有する一対のディスクブレーキ装置とを備え、前記綱車に巻き掛けた前記主索を上方又は下方へ導くエレベーター用巻上機において、前記一対のディスクブレーキ装置は、該一対のディスクブレーキ装置がそれぞれ支持部材によって前記筺体に支持されると共に、前記両支持部材間を結合しながら片持ち支持構造の前記主軸の変位方向における前記筺体を補強する扇状の上部補強リブと、片持ち支持構造の前記主軸の変位方向で、かつ、前記上部補強リブに対向した位置の前記筺体を補強する逆扇状の下部補強リブとを備え、前記上部補強リブと前記下部補強リブとの対向部には、補強リブのない領域が形成されていることを特徴とする。
【発明の効果】
【０００８】
本発明のエレベーター用巻上機によれば、片持ち支持構造の主軸を使用したものであっても、筺体の強度を高めることは勿論、小型軽量化を図ることができる。
【図面の簡単な説明】
【０００９】
【図１】本発明のエレベーター用巻上機の実施例１を筺体側から見た状態を示す図である。
【図２】図１に示したエレベーター用巻上機をＡ−Ａ線に沿って断面した断面図である。
【図３】図１に示したエレベーター用巻上機を綱車側（図２の矢印Ｐ方向）から見た図である。
【図４】本発明のエレベーター用巻上機の実施例１の使用状態を示す図である。
【発明を実施するための形態】
【００１０】
以下、図示した実施例に基づいて本発明のエレベーター用巻上機を説明する。なお、各図において、同一構成部品には同符号を使用する。
【実施例１】
【００１１】
図１、図２及び図３に、本発明のエレベーター用巻上機の実施例１を示す。
【００１２】
本実施例のエレベーター用巻上機を使用したエレベーター装置は、昇降路内に、主索によって連結した乗りかごと釣合おもりとが昇降可能に配置されており、昇降路と乗りかごの間にある隙間にエレベーター用巻上機が設置されている。
【００１３】
このエレベーター用巻上機２０は、モータを構成する固定子１３が収納されている筐体１と、この筐体１に軸方向の一方端部が固定され、他方端部が自由端となる片持ち支持構造の主軸３と、この主軸３の自由端側に軸受４を介して回転可能に取付けられ、乗りかごと釣合おもりを連結する主索が巻き掛けられる綱車２と、この綱車２と一体的に回転するディスク５と、綱車２と一体に形成されて固定子１３と協働してモータを構成する回転子１５と、ディスク５を制動するブレーキ部材１６Ａ、１６Ｂをそれぞれ有する一対のディスクブレーキ装置６Ａ、６Ｂとを備えて概略構成されている。
【００１４】
そして、本実施例のエレベーター用巻上機２０は、一対のディスクブレーキ装置６Ａ、６Ｂがそれぞれ支持部材７Ａ、７Ｂによって筺体１に支持されると共に、両支持部材７Ａ、７Ｂ間を結合しながら片持ち支持構造の主軸３の変位方向における筺体１を補強する扇状の上部補強リブ１０と、片持ち支持構造の主軸３の変位方向で、かつ、上部補強リブ１０に対向した位置の筺体１を補強する逆扇状の下部補強リブ１１とを備え、上部補強リブ１０と下部補強リブ１１との対向部には、補強リブのない領域１２Ａ、１２Ｂが形成されているものである。
【００１５】
更に、具体的に本実施例のエレベーター用巻上機２０を説明する。即ち、本実施例のエレベーター用巻上機２０は、モータを構成する固定子１３を収納した筺体１と、固定子１３に対向して配置したモータの回転子コアと一体的に構成すると共に、主索を巻回した綱車２とを有し、モータの回転子コアと共に綱車２を回転させ、主索を介して乗りかごを昇降駆動するように構成されている。
【００１６】
片持ち支持された主軸３の軸方向一端部に、主索が巻き掛けられることになる綱車２が軸受４によって可回転的に支持され、綱車２の外周部には、綱車２と一体的に構成されたディスク５が配置され、このディスク５は、筺体１に接触することなく回転可能に配置されている。綱車２又は主軸３の中心軸よりも上方部となる領域には、左右に一対のディスクブレーキ装置６Ａ、６Ｂが配置されている。これらのディスクブレーキ装置６Ａ、６Ｂは、図１に示すように、筺体１の背面側へ結合した支持部材７Ａ、７Ｂによって支持されている。
【００１７】
また、筺体１は、その背面側で主軸３を支持したボス部８の外周に空部９が形成されて軽量化が図られている。
【００１８】
また、支持部材７Ａ、７Ｂの下方部で、かつ、空部９の外周部に位置する部分の筺体１には、支持部材７Ａ、７Ｂの下方部間を結合しながら筺体１の機械強度を補強する扇状の上部補強リブ１０が設置されており、更に、空部９を挟んで上部補強リブ１０と対向する部分の筺体１にも、逆扇状の下部補強リブ１１が設置されている。そして、上部補強リブ１０と下部補強リブ１１との端部対向部には、補強リブのない領域１２Ａ、１２Ｂが形成されている。
【００１９】
次に、図２を用いて綱車２側の回転構造について簡単に説明する。
【００２０】
図２において、筺体１の中心部に形成されたボス部８内に主軸３の軸方向一端を挿入して固定し、この主軸３の自由端側に綱車２を可回転的に支持している。この主軸３の片持ち支持構造によって、主軸３の支持構成は簡単になり、その軸方向にエレベーター用巻上機２０を薄くすることができる。
【００２１】
また、筺体１の外周部には、モータの固定子１３などの固定部分が収納されている。主軸３の自由端側は、軸受４を介して軸受ハウジング１４が可回転的に支持され、この軸受ハウジング１４に、上述した綱車２やディスク５、モータの回転子１５などの回転部分が結合されている。この回転子１５は、固定子１３との間にギャップを介して対向配置されている。また、図１でも説明したように、ディスク５は、回転子１５よりも外周部側に突出して一体的に形成されて、リング状の円板形状を成している。
【００２２】
図３は、エレベーター用巻上機２０を綱車２側（図２の矢印Ｐ方向）から見た図であるが、該図の如く、ディスクブレーキ装置６Ａ、６Ｂは、一般に知られるように、ディスク５を前後方向から挟み込むように配置したブレーキ部材１６Ａ、１６Ｂや、このブレーキ部材１６Ａ、１６Ｂに対してディスク５への制動力を与える制動力付与手段、制動力付与手段による制動力を解除する解除手段などを有して構成されている。
【００２３】
図４は、本実施例のエレベーター用巻上機２０の使用状態を示す。
【００２４】
該図に示す如く、マシンベース１７には、筺体１の支持脚部を固定してエレベーター用巻上機２０が取り付けられ、また、近傍にプーリ１８が可回転的に支持されている。エレベーター用巻上機２０の綱車２には、主索１９が巻き掛けられ、主索１９はプーリ１８を使用しながら下方側に降ろされている。主索１９の両端部には、例えば、図示しない乗りかごや釣合おもりが連結され、エレベーター用巻上機２０の綱車２を回転駆動することによって乗りかごを昇降する構成となっている。
【００２５】
また、エレベーター用巻上機２０の使用状態としては、綱車２に巻き掛けた主索１９の両端部を上方向へ導いたものでも同様に適用することができる。
【００２６】
このような本実施例のようなエレベーター用巻上機２０では、図２に示したエレベーター用巻上機２０からも分かるように、筺体１に軸方向一端部を支持固定した主軸３の自由端に、綱車２を可回転的に支持した片持ち支持構造が採用されている。
【００２７】
このため、主索１９を通して綱車２には、主軸３を上下方向に傾けるような力が作用することになり、ディスク５の変位として現れてしまう。
【００２８】
そこで、ディスク５の変位が最も少ない位置、つまり、図１及び図３に示すように、ディスク５の変異量が少ない斜め位置に、ディスクブレーキ装置６Ａ、６Ｂを配置することによって、ブレーキストロークを大きくすることなく安定した制動力をディスク５に与えることができる。
【００２９】
一方、上述した片持ち支持構造によって主軸３に上下方向の偏荷重が作用するため、筺体１の強度を高めなければならない。単純に、筺体１の全体の肉厚を増したり補強リブを形成したりすると、エレベーター用巻上機２０としては大型で重量化してしまう。
【００３０】
そこで、図１に示したように、支持部材７Ａ、７Ｂの下方部で、かつ、空部９の外周部に位置する部分の筺体１には、支持部材７Ａ、７Ｂの下方部間を結合しながら筺体１の機械強度を補強する扇状の上部補強リブ１０が形成されている。
【００３１】
このため、筺体１の肉厚を従来の場合より小さくしても、支持部材７Ａ、７Ｂ及び上部補強リブ１０によって筺体１の強度を高めると共に、エレベーター用巻上機２０の小型軽量化を図ることができる。
【００３２】
しかも、空部９を挟んで上下方向で対向した部分、つまり、筺体１における主軸３の変位方向に、一対の上部補強リブ１０及び下部補強リブ１１を対向して配置すると共に、上部補強リブ１０を扇状、下部補強リブ１１を逆扇状に形成している。このとき、上部補強リブ１０と下部補強リブ１１との端部対向部には、補強リブのない領域１２Ａ、１２Ｂが形成されている。
【００３３】
このような構成によれば、空部９の全外周における筺体１を環状の補強リブによって補強する場合に比べて、上部補強リブ１０及び下部補強リブ１１の量を少なくして効率的な補強を行いながらエレベーター用巻上機２０の小型軽量化を図ることができる。
【００３４】
なお、本発明は、上述した実施例に限定するものではなく、様々な変形例が含まれる。例えば、固定子１３及び回転子１５から構成したモータ構成は、図示のものに限定するものではない。
【００３５】
また、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００３６】
１…筺体、２…綱車、３…主軸、４…軸受、５…ディスク、６Ａ、６Ｂ…ディスクブレーキ装置、７Ａ、７Ｂ…支持部材、８…ボス部、９…空部、１０…上部補強リブ、１１…下部補強リブ、１２Ａ、１２Ｂ…補強リブのない領域、１３…固定子、１４…軸受ハウジング、１５…回転子、１６Ａ、１６Ｂ…ブレーキ部材、１７…マシンベース、１８…プーリ、１９…主索、２０…エレベーター用巻上機。
【図１】
2018002419.tif 000003
【図２】
2018002419.tif 000004
【図３】
2018002419.tif 000005
【図４】
2018002419.tif 000006